(57)【特許請求の範囲】
【請求項１】
無線装置が、配信サーバから送信された通知情報を、同報通信を用いて、移動局に送信するように構成されている移動通信システムであって、
前記無線装置は、
前記配信サーバから受信した前記通知情報に基づいて、該通知情報の内容を示す簡易情報と、該通知情報の内容を示し該簡易情報よりも情報量が多い詳細情報とを生成するように構成されている生成部と、
前記同報通信を開始するためのＰＣＣＨ（Ｐａｇｉｎｇ  Ｃｏｎｔｒｏｌ  Ｃｈａｎｎｅｌ）を用いて、前記移動局に対して、前記簡易情報を送信するように構成されている簡易情報送信部と、
前記同報通信用のＢＣＣＨ（Ｂｒｏａｄｃａｓｔ  Ｃｏｎｔｒｏｌ  Ｃｈａｎｎｅｌ）を介して該同報通信用のＣＴＣＨ（Ｃｏｍｍｏｎ  Ｔｒａｆｆｉｃ  Ｃｈａｎｎｅｌ）を見るように指示するシステム情報更新要求が送信された後に、該ＣＴＣＨを用いて、前記移動局に対して、前記詳細情報を送信するように構成されている詳細情報送信部とを具備し、
前記移動局は、
前記ＰＣＣＨを用いて送信された前記簡易情報を表示した後、前記ＣＴＣＨを用いて送信された前記詳細情報を表示するように構成されている表示部を具備することを特徴とする移動通信システム。
【請求項２】
無線装置が、配信サーバから送信された通知情報を、同報通信を用いて、移動局に送信する移動通信方法であって、
前記配信サーバが、前記無線装置に対して、前記通知情報を送信する工程と、
前記無線装置が、前記配信サーバから受信した前記通知情報に基づいて、該通知情報の内容を示す簡易情報を生成し、前記同報通信を開始するためのＰＣＣＨ（Ｐａｇｉｎｇ  Ｃｏｎｔｒｏｌ  Ｃｈａｎｎｅｌ）を用いて、前記移動局に対して、前記簡易情報を送信する工程と、
前記移動局が、前記ＰＣＣＨを用いて送信された前記簡易情報を表示する工程と、
前記無線装置が、前記通知情報に基づいて、該通知情報の内容を示し前記簡易情報よりも情報量が多い詳細情報を生成し、前記同報通信用のＢＣＣＨ（Ｂｒｏａｄｃａｓｔ  Ｃｏｎｔｒｏｌ  Ｃｈａｎｎｅｌ）を介して該同報通信用のＣＴＣＨ（Ｃｏｍｍｏｎ  Ｔｒａｆｆｉｃ  Ｃｈａｎｎｅｌ）を見るように指示するシステム情報更新要求を送信した後、該ＣＴＣＨを用いて、前記移動局に対して、前記詳細情報を送信する工程と、
前記移動局が、前記ＣＴＣＨを用いて送信された前記詳細情報を表示する工程とを有することを特徴とする移動通信方法。
【請求項３】
配信サーバから送信された通知情報を、同報通信を用いて、移動局に送信するように構成されている無線回線制御局であって、
前記配信サーバから受信した前記通知情報に基づいて、該通知情報の内容を示す簡易情報と、該通知情報の内容を示し該簡易情報よりも情報量が多い詳細情報とを生成するように構成されている生成部と、
前記同報通信を開始するためのＰＣＣＨ（Ｐａｇｉｎｇ  Ｃｏｎｔｒｏｌ  Ｃｈａｎｎｅｌ）を用いて、前記移動局に対して、前記簡易情報を送信するように構成されている簡易情報送信部と、
前記同報通信用のＢＣＣＨ（Ｂｒｏａｄｃａｓｔ  Ｃｏｎｔｒｏｌ  Ｃｈａｎｎｅｌ）を介して該同報通信用のＣＴＣＨ（Ｃｏｍｍｏｎ  Ｔｒａｆｆｉｃ  Ｃｈａｎｎｅｌ）を見るように指示するシステム情報更新要求が送信された後に、該ＣＴＣＨを用いて、前記移動局に対して、前記詳細情報を送信するように構成されている詳細情報送信部とを具備することを特徴とする無線回線制御局。
【請求項４】
配信サーバから送信された通知情報を、同報通信を用いて、移動局に送信するように構成されている無線基地局であって、
前記配信サーバから受信した前記通知情報に基づいて生成された該通知情報の内容を示す簡易情報を、前記同報通信を開始するためのＰＣＣＨ（Ｐａｇｉｎｇ  Ｃｏｎｔｒｏｌ  Ｃｈａｎｎｅｌ）を用いて、前記移動局に対して送信するように構成されている簡易情報送信部と、
前記同報通信用のＢＣＣＨ（Ｂｒｏａｄｃａｓｔ  Ｃｏｎｔｒｏｌ  Ｃｈａｎｎｅｌ）を介して該同報通信用のＣＴＣＨ（Ｃｏｍｍｏｎ  Ｔｒａｆｆｉｃ  Ｃｈａｎｎｅｌ）を見るように指示するシステム情報更新要求が送信された後に、該ＣＴＣＨを用いて、前記通知情報に基づいて生成された該通知情報の内容を示し前記簡易情報よりも情報量が多い詳細情報を、前記移動局に対して送信するように構成されている詳細情報送信部とを具備することを特徴とする無線基地局。
【請求項５】
同報通信を用いて送信された通知情報を受信するように構成されている移動局であって、
配信サーバから送信された前記通知情報に基づいて生成された該通知情報の内容を示す簡易情報を、前記同報通信を開始するためのＰＣＣＨ（Ｐａｇｉｎｇ  Ｃｏｎｔｒｏｌ  Ｃｈａｎｎｅｌ）を介して受信するように構成されている簡易情報受信部と、
前記同報通信用のＢＣＣＨ（Ｂｒｏａｄｃａｓｔ  Ｃｏｎｔｒｏｌ  Ｃｈａｎｎｅｌ）を介して該同報通信用のＣＴＣＨ（Ｃｏｍｍｏｎ  Ｔｒａｆｆｉｃ  Ｃｈａｎｎｅｌ）を見るように指示するシステム情報更新要求が受信された後に、前記通知情報に基づいて生成された該通知情報の内容を示し前記簡易情報よりも情報量が多い詳細情報を、該ＣＴＣＨを介して受信するように構成されている詳細情報受信部と、
受信した前記簡易情報を表示した後、受信した前記詳細情報を表示するように構成されていることを特徴とする移動局。
【発明の詳細な説明】
【技術分野】
【０００１】
本発明は、無線装置が、配信サーバから送信された緊急情報を同報通信を用いて移動局に送信するように構成されている移動通信システム、移動通信方法、無線回線制御局、無線基地局及び移動局に関する。
【背景技術】
【０００２】
従来、官公庁や地方自治体等によって発せされた地震情報や津波情報等の緊急情報を、ＣＢＳ（Ｃｅｌｌ  Ｂｒｏａｄｃａｓｔ  Ｓｅｒｖｉｃｅ）やＭＢＭＳ（Ｍｕｌｔｉｍｅｄｉａ  Ｂｒｏａｄｃａｓｔ/Ｍｕｌｔｉｃａｓｔ  Ｓｅｒｖｉｃｅ）等の同報通信を用いて移動局に送信するように構成されている緊急情報送信用の移動通信システムが知られている。【０００３】
具体的には、かかる緊急情報送信用の移動通信システムでは、無線回線制御局ＲＮＣが、ＣＴＣＨ（Ｃｏｍｍｏｎ  Ｔｒａｆｆｉｃ  Ｃｈａｎｎｅｌ）やＭＴＣＨ（ＭＢＭＳ  Ｔｒａｆｆｉｃ  Ｃｈａｎｎｅｌ）等の同報通信用のトラフィックチャネルを用いて、特定エリアに在圏する移動局に対して、官公庁や地方自治体等の端末から配信サーバを介して受信した上述の緊急情報を送信するように構成されている。【０００４】
しかしながら、従来の緊急情報送信用の移動通信システムでは、無線回線制御局ＲＮＣが、ＣＴＣＨやＭＴＣＨ等の同報通信用のトラフィックチャネルを介して情報を送信するまでに、無線区間において様々なチャネルを介して情報を送信する必要があるため、緊急情報が移動局に到達するまでの遅延時間が大きくなるという問題点があった。【０００５】
（非特許文献１）
３ＧＰＰ  ＴＳ２３.０４１
（非特許文献２）
３ＧＰＰ  ＴＳ２３.２４６
【発明の開示】
【０００６】
そこで、本発明は、上述の課題に鑑みてなされたものであり、同報通信を用いて緊急情報を移動局に送信する際の遅延時間を短縮することができる移動通信システム、移動通信方法、無線回線制御局、無線基地局及び移動局を提供することを目的とする。
【０００７】
本発明の第１の特徴は、無線装置が、配信サーバから送信された通知情報（緊急情報）を、同報通信を用いて、移動局に送信するように構成されている移動通信システムであって、前記無線装置は、前記配信サーバから受信した前記通知情報に基づいて、該通知情報の内容を示す簡易情報と、該通知情報の内容を示し該簡易情報よりも情報量が多い詳細情報とを生成するように構成されている生成部と、前記同報通信を開始するための制御チャネルを用いて、前記移動局に対して、前記簡易情報を送信するように構成されている簡易情報送信部と、前記同報通信用のトラフィックチャネルを用いて、前記移動局に対して、前記詳細情報を送信するように構成されている詳細情報送信部とを具備し、前記移動局は、前記制御チャネルを用いて送信された前記簡易情報を表示した後、前記トラフィックチャネルを用いて送信された前記詳細情報を表示するように構成されている表示部を具備することを要旨とする。
【０００８】
本発明の第２の特徴は、無線装置が、配信サーバから送信された通知情報を、同報通信を用いて、移動局に送信する移動通信方法であって、前記配信サーバが、前記無線装置に対して、前記通知情報を送信する工程と、前記無線装置が、前記配信サーバから受信した前記通知情報に基づいて、該通知情報の内容を示す簡易情報を生成し、前記同報通信を開始するための制御チャネルを用いて、前記移動局に対して、前記簡易情報を送信する工程と、前記移動局が、前記制御チャネルを用いて送信された前記簡易情報を表示する工程と、前記無線装置が、前記通知情報に基づいて、該通知情報の内容を示し前記簡易情報よりも情報量が多い詳細情報とを生成し、前記同報通信用のトラフィックチャネルを用いて、前記移動局に対して、前記詳細情報を送信する工程と、前記移動局が、前記トラフィックチャネルを用いて送信された前記詳細情報を表示する工程とを有することを要旨とする。
【０００９】
本発明の第３の特徴は、配信サーバから送信された通知情報を、同報通信を用いて、移動局に送信するように構成されている無線回線制御局であって、前記配信サーバから受信した前記通知情報に基づいて、該通知情報の内容を示す簡易情報と、該通知情報の内容を示し該簡易情報よりも情報量が多い詳細情報とを生成するように構成されている生成部と、前記同報通信を開始するための制御チャネルを用いて、前記移動局に対して、前記簡易情報を送信するように構成されている簡易情報送信部と、前記同報通信用のトラフィックチャネルを用いて、前記移動局に対して、前記詳細情報を送信するように構成されている詳細情報送信部とを具備することを要旨とする。
【００１０】
本発明の第３の特徴において、前記簡易情報送信部は、特定の移動局に対して着信情報があることを通知するためのチャネルを用いて、前記簡易情報を送信するように構成されていてもよい。
【００１１】
本発明の第４の特徴は、配信サーバから送信された通知情報を、同報通信を用いて、移動局に送信するように構成されている無線基地局であって、前記配信サーバから受信した前記通知情報に基づいて生成された該通知情報の内容を示す簡易情報を、前記同報通信を開始するための制御チャネルを用いて、前記移動局に対して送信するように構成されている簡易情報送信部と、前記通知情報に基づいて生成された該通知情報の内容を示し前記簡易情報よりも情報量が多い詳細情報を、前記同報通信用のトラフィックチャネルを用いて、前記移動局に対して送信するように構成されている詳細情報送信部とを具備することを要旨とする。
【００１２】
本発明の第４の特徴において、前記簡易情報送信部は、特定の移動局に対して着信情報があることを通知するためのチャネルを用いて、前記簡易情報を送信するように構成されていてもよい。
【００１３】
本発明の第５の特徴は、同報通信を用いて送信された通知情報を受信するように構成されている移動局であって、配信サーバから送信された前記通知情報に基づいて生成された該通知情報の内容を示す簡易情報を、前記同報通信を開始するための制御チャネルを介して受信するように構成されている簡易情報受信部と、前記通知情報に基づいて生成された該通知情報の内容を示し前記簡易情報よりも情報量が多い詳細情報を、前記同報通信用のトラフィックチャネルを介して受信するように構成されている詳細情報受信部と、受信した前記簡易情報を表示した後、受信した前記詳細情報を表示するように構成されていることを要旨とする。
【図面の簡単な説明】
【００１４】
【図１】図１は、本発明の第１の実施形態に係る移動通信システムの全体構成図である。
【図２】図２は、本発明の第１の実施形態に係る無線回線制御局ＲＮＣの機能ブロック図である。
【図３】図３は、本発明の第１の実施形態に係る無線基地局Ｎｏｄｅ  Ｂの機能ブロック図である。
【図４】図４は、本発明の第１の実施形態に係る移動通信システムにおけるチャネル構成を示す図である。
【図５】図５は、本発明の第１の実施形態に係る移動通信システムにおいて用いられるＰＩＣＨの構成、又は、本発明の第２の実施形態に係る移動通信システムにおいて用いられるＭＩＣＨの構成を示す図である。
【図６】図６は、本発明の第１の実施形態に係る移動局ＵＥの機能ブロック図である。
【図７】図７は、本発明の第１の実施形態に係る移動通信システムにおいて緊急情報を送信する動作を示すシーケンス図である。
【図８】図８は、本発明の第２の実施形態に係る無線回線制御局ＲＮＣの機能ブロック図である。
【図９】図９は、本発明の第２の実施形態に係る無線基地局Ｎｏｄｅ  Ｂの機能ブロック図である。
【図１０】図１０は、本発明の第２の実施形態に係る移動局ＵＥの機能ブロック図である。
【図１１】図１１は、本発明の第２の実施形態に係る移動通信システムにおいて緊急情報を送信する動作を示すシーケンス図である。
【発明を実施するための最良の形態】
【００１５】
（本発明の第１の実施形態に係る移動通信システム）
図１乃至図６を参照して、本発明の第１の実施形態に係る移動通信システムの構成について説明する。【００１６】
本実施形態に係る移動通信システムは、無線装置（無線制御装置ＲＮＣや無線基地局Ｎｏｄｅ  Ｂ）が、配信サーバから送信された通知情報の一種である「緊急情報（官公庁や地方自治体等によって発せされた地震情報や津波情報等）」を、同報通信（ＣＢＳ）を用いて、移動局に送信するように構成されている。【００１７】
具体的には、図１に示すように、本実施形態に係る移動通信システムは、配信サーバと、複数の交換ノードＳＧＳＮ（Ｓｅｒｖｉｎｇ  ＧＰＲＳ  Ｓｕｐｐｏｒｔ  Ｎｏｄｅ）＃１，＃２と、複数の無線回線制御局ＲＮＣ＃１１，＃１２と、複数の無線基地局Ｎｏｄｅ  Ｂ＃１１１，＃１１２と、複数の移動局ＵＥ＃１，＃２とを具備している。【００１８】
なお、説明の便宜上、図１の例では、交換ノードＳＧＳＮ、無線回線制御局ＲＮＣ、無線基地局Ｎｏｄｅ  Ｂ及び移動局ＵＥについて、２つずつ記載したが、言うまでも無く、本発明は、これらの装置が２つ以上具備している場合の例にも適用可能である。【００１９】
配信サーバは、ＣＢＣ（Ｃｅｌｌ  Ｂｒｏａｄｃａｓｔ  Ｃｅｎｔｅｒ）として機能するものであり、地震や津波等のイベントが発生した場合に、官公庁や地方自治体等によって発せされた地震情報や津波情報等の緊急情報を受信し、かかる緊急情報を、交換ノードＳＧＳＮを介して所定の無線回線制御局ＲＮＣに送信するように構成されている。【００２０】
なお、配信サーバと無線回線制御局ＲＮＣとの間では、３ＧＰＰ  ＴＳ２５.４１９によって規定されているＳＡＢＰ（Ｓｅｒｖｉｃｅ  Ａｒｅａ  Ｂｒｏａｄｃａｓｔ  Ｐｒｏｔｏｃｏｌ）によって通信が行われるものとする。【００２１】
図２に示すように、無線回線制御局ＲＮＣは、緊急情報受信部１１と、ページング通知情報送信部１２と、システム情報更新要求送信部１３と、スケジューリング情報送信部１４と、詳細情報送信部１５と、完了応答部１６とを具備している。【００２２】
緊急情報受信部１１は、配信サーバから送信された緊急情報を受信し、受信した当該緊急情報に基づいて、当該緊急情報の内容を示す簡易情報と、当該緊急情報の内容を示し当該簡易情報よりも情報量が多い詳細情報とを生成するように構成されている。【００２３】
例えば、簡易情報は、図６における簡易情報Ａ「緊急地震速報！」のように、短い情報量で緊急情報の内容を示す速報的な役割を果たす情報である。【００２４】
これに対して、詳細情報は、例えば、図６における詳細情報Ｂ「緊急地震速報！震度５強の地震が来ます。注意してください（気象庁）」のように、緊急情報の内容について、簡易情報よりも多い情報量で、緊急情報の内容について詳細に伝える役割を果たす情報である。【００２５】
ページング通知情報送信部１２は、無線基地局Ｎｏｄｅ  Ｂを介して、所定のページングエリアに在圏する移動局ＵＥに対して、ページング通知情報を送信するように構成されている。【００２６】
具体的には、ページング通知情報送信部１２は、ＣＢＳ（同報通信）を開始するための制御チャネルであり、特定の移動局（特定の群に属する移動局）に対して着信情報があることを通知するための論理チャネルである「ＰＣＣＨ（Ｐａｇｉｎｇ  Ｃｏｎｔｒｏｌ  Ｃｈａｎｎｅｌ）」を用いて、ページング通知情報を送信するように構成されている。【００２７】
なお、ページング通知情報送信部１２は、論理チャネルである「ＰＣＣＨ」に含まれているページング通知情報を、トランスポートチャネルである「ＰＣＨ（Ｐａｇｉｎｇ  Ｃｈａｎｎｅｌ）」を介して無線基地局Ｎｏｄｅ  Ｂに送信するように構成されている。【００２８】
また、ページング通知情報送信部１２は、緊急情報受信部１１により生成された簡易情報を、無線基地局Ｎｏｄｅ  Ｂに送信するように構成されている。【００２９】
ここで、ページング通知情報送信部１２は、「ＰＣＣＨ」を用いて、ページング通知情報と共に、簡易情報を送信するように構成されていてもよい。【００３０】
かかる場合、例えば、ページング通知情報送信部１２は、「ＰＣＣＨ」における「ペイロード部（２４０ビット）（３ＧＰＰ  ＴＳ３４.１０８参照）」に、簡易情報を挿入するように構成されている。【００３１】
システム情報更新要求送信部１３は、移動局ＵＥに対してシステム制御情報を更新するように要求するための「Ｓｙｓｔｅｍ  Ｉｎｆｏｒｍａｔｉｏｎ  Ｕｐｄａｔｅ  Ｒｅｑｕｅｓｔ」を、無線基地局Ｎｏｄｅ  Ｂに送信するように構成されている。【００３２】
具体的には、システム情報更新要求送信部１３は、論理チャネルである「ＢＣＣＨ（Ｂｒｏａｄｃａｓｔ  Ｃｏｎｔｒｏｌ  Ｃｈａｎｎｅｌ）」を介して、ＣＢＳ（同報通信）用のトラフィックチャネル（論理チャネル）である「ＣＴＣＨ（Ｃｏｍｍｏｎ  Ｔｒａｆｆｉｃ  Ｃｈａｎｎｅｌ）」を見るように指示する「Ｓｙｓｔｅｍ  Ｉｎｆｏｒｍａｔｉｏｎ  Ｕｐｄａｔｅ  Ｒｅｑｕｅｓｔ」を、移動局ＵＥに対して送信するように構成されている。【００３３】
なお、システム情報更新要求送信部１３は、論理チャネルである「ＢＣＣＨ」に含まれている「Ｓｙｓｔｅｍ  Ｉｎｆｏｒｍａｔｉｏｎ  Ｕｐｄａｔｅ  Ｒｅｑｕｅｓｔ」を、トランスポートチャネルである「ＢＣＨ（Ｂｒｏａｄｃａｓｔ  Ｃｈａｎｎｅｌ）」を介して無線基地局Ｎｏｄｅ  Ｂに送信するように構成されている。【００３４】
また、システム情報更新要求送信部１３は、ＣＢＳ（同報通信）を開始するための制御チャネルとして、「ＰＣＣＨ」ではなく、「ＢＣＣＨ」を用いて、上述の簡易情報を送信するように構成されていてもよい。【００３５】
スケジューリング情報送信部１４は、移動局ＵＥに対して、「ＣＴＣＨ」用のスケジューリング情報である「ＢＭＣ  ｓｃｈｅｄｕｌｅ  ｍｅｓｓａｇｅ」を送信するように構成されている。【００３６】
具体的には、スケジューリング情報送信部１４は、ＣＢＳ用のトラフィックチャネル（論理チャネル）である「ＣＴＣＨ」を介して、後続する「ＣＴＣＨ」において、どのブロックで緊急情報（詳細情報）を受信すべきかについて示す情報を送信するように構成されている。【００３７】
なお、スケジューリング情報送信部１４は、ＣＢＳ用のトラフィックチャネル（論理チャネル）である「ＣＴＣＨ」に含まれている情報を、トランスポートチャネルである「ＦＡＣＨ（Ｆｏｒｗａｒｄ  Ａｃｃｅｓｓ  Ｃｈａｎｎｅｌ）」を介して無線基地局Ｎｏｄｅ  Ｂに送信するように構成されている。【００３８】
詳細情報送信部１５は、同報通信用のトラフィックチャネルである「ＣＴＣＨ」を用いて、移動局ＵＥに対して、緊急情報受信部１１により生成された詳細情報を送信するように構成されている。【００３９】
なお、詳細情報送信部１５は、ＣＢＳ用のトラフィックチャネル（論理チャネル）である「ＣＴＣＨ」に含まれている情報を、トランスポートチャネルである「ＦＡＣＨ（Ｆｏｒｗａｒｄ  Ａｃｃｅｓｓ  Ｃｈａｎｎｅｌ）」を介して無線基地局Ｎｏｄｅ  Ｂに送信するように構成されている。【００４０】
完了応答部１６は、詳細情報の移動局ＵＥへの送信が完了した場合、その旨を「Ｒｅｐｏｒｔ-Ｓｕｃｃｅｓｓ」を用いて、配信サーバに通視するように構成されている。【００４１】
図３に示すように、無線基地局Ｎｏｄｅ  Ｂは、ＰＣＨ受信部３１と、ＢＣＨ受信部３２と、ＦＡＣＨ受信部３３と、ＰＩＣＨ送信部３４と、ＳＣＣＰＣＨ送信部３５と、ＰＣＣＰＣＨ送信部３６とを具備している。【００４２】
ＰＣＨ受信部３１は、トランスポートチャネルである「ＰＣＨ」を介して無線回線制御局ＲＮＣから送信された情報を受信するように構成されている。【００４３】
具体的には、ＰＣＨ受信部３１は、「ＰＣＨ」上の情報を検出して、検出した情報をＰＩＣＨ送信部３４及びＳＣＣＰＣＨ送信部３５に通知するように構成されている。【００４４】
ＢＣＨ受信部３２は、トランスポートチャネルである「ＢＣＨ」を介して無線回線制御局ＲＮＣから送信された情報を受信するように構成されている。【００４５】
具体的には、ＢＣＨ受信部３２は、「ＢＣＨ」上の情報を検出して、検出した情報をＰＣＣＰＣＨ送信部３６に通知するように構成されている。【００４６】
ＦＡＣＨ受信部３３は、トランスポートチャネルである「ＦＡＣＨ」を介して無線回線制御局ＲＮＣから送信された情報を受信するように構成されている。【００４７】
具体的には、ＦＡＣＨ受信部３３は、「ＦＡＣＨ」上の情報を検出して、検出した情報をＳＣＣＰＣＨ送信部３５に通知するように構成されている。【００４８】
ＰＩＣＨ送信部３４は、ＣＢＳ（同報通信）を開始するための制御チャネルであり、特定の移動局に対して着信情報があることを通知するための物理チャネルである「ＰＩＣＨ（Ｐａｇｉｎｇ  Ｉｎｄｉｃａｔｉｏｎ  Ｃｈａｎｎｅｌ）」を介して、所定情報を送信するように構成されている。【００４９】
ここで、ＰＩＣＨ送信部３４は、ＰＣＨ受信部３１から通知された「ＰＣＨ」に含まれている簡易情報を、「ＰＩＣＨ」を用いて、移動局ＵＥに対して送信するように構成されていてもよい。【００５０】
具体的には、図５に示すように、ＰＩＣＨ送信部３４は、「ＰＩＣＨ」を構成するフレームにおいて未定義の１２ビットを用いて、簡易情報を送信するように構成されていてもよい。【００５１】
例えば、ＰＩＣＨ送信部３４は、かかる１２ビット中の下位４ビットを「０１０１」と設定することによって「地震の発生」を通知するための簡易情報を送信し、かかる１２ビット中の下位４ビットを「１０１０」と設定することによって「洪水の発生」を通知するための簡易情報を送信するように構成されていてもよい。【００５２】
ＳＣＣＰＣＨ送信部３５は、下り方向の共通チャネルであり、各セルに複数存在可能な物理チャネルである「ＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）」を介して、所定情報を送信するように構成されている。【００５３】
具体的には、ＳＣＣＰＣＨ送信部３５は、「ＰＣＨ」を介してＰＣＨ受信部３１から通知された「ＰＣＣＨ」及び「ＦＡＣＨ」を介してＦＡＣＨ受信部３３から通知された「ＣＴＣＨ」をマッピングする物理チャネルである「ＳＣＣＰＣＨ」を介して、「ＰＣＣＨ」に含まれる情報及び「ＦＡＣＨ」に含まれる情報を送信するように構成されている。【００５４】
すなわち、ＳＣＣＰＣＨ送信部３５は、上述の簡易情報を、「ＳＣＣＰＣＨ」上にマッピングされる「ＰＣＣＨ」を用いて、移動局ＵＥに対して送信するように構成されていてもよい。【００５５】
また、ＳＣＣＰＣＨ送信部３５は、上述の詳細情報を、「ＳＣＣＰＣＨ」上にマッピングされる「ＣＴＣＨ（同報通信用のトラフィックチャネル）」を用いて、移動局ＵＥに対して送信するように構成されていてもよい。【００５６】
ＰＣＣＰＣＨ送信部３６は、下り方向の共通チャネルであり、各セルに１つだけ存在可能な物理チャネルである「ＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）」を介して、所定情報を送信するように構成されている。【００５７】
具体的には、ＰＣＣＰＣＨ送信部３６は、「ＢＣＨ」を介してＢＣＨ受信部３２から通知された「ＢＣＣＨ」をマッピングする物理チャネルである「ＰＣＣＰＣＨ」を介して、「ＢＣＣＨ」に含まれる情報を送信するように構成されている。【００５８】
なお、図４に、無線回線制御局ＲＮＣと無線基地局Ｎｏｄｅ  Ｂとの間で用いられるチャネル（論理チャネル、トランスポートチャネル、物理チャネル）の対応関係について示す。【００５９】
図６に示すように、移動局ＵＥは、ＰＩＣＨ受信部５１と、ＰＣＣＨ受信部５２と、ＢＣＣＨ受信部５３と、ＣＴＣＨ受信部５４と、簡易情報表示部５５と、ページング通知情報受信部５６と、モード切替部５７と、詳細情報表示部５８とを具備している。【００６０】
ＰＩＣＨ受信部５１は、「ＰＩＣＨ」を介して無線基地局Ｎｏｄｅ  Ｂから送信された情報を受信して、受信した情報に含まれている簡易情報を抽出して簡易情報表示部５５に送信するように構成されている。【００６１】
また、ＰＩＣＨ受信部５１は、「ＰＩＣＨ」を介して無線基地局Ｎｏｄｅ  Ｂから送信された情報を受信して、かかる「ＰＩＣＨ」にマッピングされている「ＰＣＣＨ」についての情報をＰＣＣＨ受信部５２に通知するように構成されている。【００６２】
ＰＣＣＨ受信部５２は、「ＳＣＣＰＣＨ」を介して無線基地局Ｎｏｄｅ  Ｂから送信された情報を受信して、かかる「ＳＣＣＰＣＨ」にマッピングされている「ＰＣＣＨ」に含まれている情報を受信するように構成されている。【００６３】
簡易情報表示部５５は、ＰＩＣＨ受信部５１から受信した簡易情報を表示するように構成されている。【００６４】
また、簡易情報表示部５５は、ＰＣＣＨ受信部５２により受信された「ＰＣＣＨ」に含まれている簡易情報を表示するように構成されていてもよい。【００６５】
また、簡易情報表示部５５は、ＢＣＣＨ受信部５３により受信された「ＢＣＣＨ」に含まれている簡易情報を表示するように構成されていてもよい。【００６６】
具体的には、簡易情報表示部５５は、図６に示すように、表示画面上に簡易情報Ａを表示するように構成されていてもよいし、アラームや振動によって簡易情報を受信した旨を通知するように構成されていてもよい。【００６７】
例えば、簡易情報表示部５５は、「ＰＩＣＨ」における所定の１２ビット中の下位４ビットに「０１０１」と設定されている場合「地震の発生」を通知するための簡易情報を受信した旨を表示し、かかる１２ビット中の下位４ビットに「１０１０」と設定されている場合「洪水の発生」を通知するための簡易情報を受信した旨を表示するように構成されていてもよい。【００６８】
ページング通知情報受信部５６は、ＰＣＣＨ受信部５２により受信された「ＰＩＣＨ」に含まれているページング通知情報を受信するように構成されている。【００６９】
モード切替部５７は、ページング通知情報受信部５６により受信されたページング通知情報に基づいて、消費電力の節約のために間欠受信を行うモードから、通常の受信モードに切り替えるように構成されている。【００７０】
具体的には、モード切替部５７は、ページング通知情報受信部５６により受信されたページング通知情報に基づいて、ＢＣＣＨ受信部５３に対して、ＢＣＣＨに含まれている情報を受信するように指示する。【００７１】
ＢＣＣＨ受信部５３は、モード切替部５７からの指示に応じて、無線基地局Ｎｏｄｅ  Ｂから送信された「ＰＣＣＰＣＨ」にマッピングされている「ＢＣＣＨ」に含まれている情報を受信するように構成されている。【００７２】
ＣＴＣＨ受信部５４は、ＢＣＣＨ受信部５３により受信された「ＢＣＣＨ」に含まれている情報に応じて、無線基地局Ｎｏｄｅ  Ｂから送信された「ＳＣＣＰＣＨ」にマッピングされている「ＣＴＣＨ」に含まれている情報を受信するように構成されている。【００７３】
具体的には、ＣＴＣＨ受信部５４は、第１に、受信した「ＣＴＣＨ」に含まれている情報からスケジューリング情報を抽出し、その後、かかるスケジューリング情報に基づいて、「ＣＢＳ  ｍｅｓｓａｇｅ」として、上述の詳細情報を受信するように構成されている。【００７４】
詳細情報表示部５８は、図６に示すように、ＣＴＣＨ受信部５４により受信された詳細情報Ｂを表示画面上に表示するように構成されている。【００７５】
（本発明の第１の実施形態に係る移動通信システムの動作）
以下、図６を参照して、本実施形態に係る移動通信システムの動作について説明する。【００７６】
図６に示すように、ステップＳ１００１において、配信サーバＣＢＣが、官公庁や地方自治体等から、地震情報や津波情報等の緊急情報の配信要求を受信する。ここで、かかる配信要求には、緊急情報及び当該緊急情報の配信エリア（ページングエリア）が含まれているものとする。【００７７】
ステップＳ１００２において、配信サーバＣＢＣが、配信エリアに対応する無線回線制御局ＲＮＣに対して、「Ｗｒｉｔｅ-Ｒｅｐｌａｃｅ」を用いて緊急情報を送信する。【００７８】
ステップＳ１００３において、無線回線制御局ＲＮＣが、「ＰＣＣＨ」にマッピングされている「ＰＣＨ」を介して、無線基地局Ｎｏｄｅ  Ｂに対して、ページング通知情報（Ｐａｇｉｎｇ  Ｔｙｐｅ１）を送信する。【００７９】
ここで、無線回線制御局ＲＮＣは、緊急情報に基づいて生成した簡易情報を、無線基地局Ｎｏｄｅ  Ｂに対して、「ＰＣＣＨ」に挿入して送信してもよいし、「ＰＣＣＨ」とは別に送信してもよい。【００８０】
無線基地局Ｎｏｄｅ  Ｂは、ステップＳ１００４において、特定の配信エリアに在圏する移動局ＵＥに対して、「ＰＩＣＨ」によって、ページング通知情報（Ｐａｇｉｎｇ  Ｔｙｐｅ１）を送信し、ステップＳ１００５において、特定の配信エリアに在圏する移動局ＵＥに対して、「ＰＣＣＨ」にマッピングされている「ＳＣＣＰＣＨ」を介して、「ＰＣＣＨ」に含まれている情報を送信する。【００８１】
ここで、簡易情報は、「ＰＩＣＨ」によって送信されてもよいし、「ＳＣＣＰＣＨ」に含まれる「ＰＣＣＨ」によって送信されてもよい。また、簡易情報は、後述する「ＢＣＣＨ」によって送信されてもよい。【００８２】
ステップＳ１００６において、移動局ＵＥは、「ＰＩＣＨ」又は「ＰＣＣＨ」を介して受信した簡易情報を表示する。【００８３】
ステップＳ１００７において、無線回線制御局ＲＮＣは、「ＢＣＣＨ」にマッピングされている「ＢＣＨ」を介して、無線基地局Ｎｏｄｅ  Ｂに対して、ＣＴＣＨに含まれている情報を受信するように指示するためのシステム情報更新要求を送信する。【００８４】
ステップＳ１００８において、無線基地局Ｎｏｄｅ  Ｂは、全ての移動局ＵＥによる「ＰＣＣＨ」に含まれている情報の受信が完了したと判断された後に、すなわち、「ＰＣＣＨ」に含まれている情報の送信からＴ１秒経過後に、「ＢＣＣＨ」がマッピングされている「ＰＣＣＰＣＨ」を介して、「ＢＣＣＨ」に含まれている情報を送信する。【００８５】
ステップＳ１００９において、無線回線制御局ＲＮＣは、「ＦＡＣＨ」を介して、無線基地局Ｎｏｄｅ  Ｂに対して、「ＣＴＣＨ」に含まれている詳細情報を受信するためのスケジューリング情報を送信する。【００８６】
ステップＳ１０１０において、無線基地局Ｎｏｄｅ  Ｂは、全ての移動局ＵＥによる「ＢＣＣＨ」に含まれている情報の受信が完了したと判断された後に、すなわち、「ＢＣＣＨ」に含まれている情報の送信からＴ２秒経過後に、「ＣＴＣＨ」がマッピングされている「ＳＣＣＰＣＨ」を介して、「ＣＴＣＨ」に含まれている情報を送信する。【００８７】
ステップＳ１０１１において、無線回線制御局ＲＮＣは、「ＦＡＣＨ」を介して、無線基地局Ｎｏｄｅ  Ｂに対して、上述のスケジューリング情報に基づいて、「ＣＴＣＨ」に含まれている詳細情報を送信する。【００８８】
ステップＳ１０１２において、無線基地局Ｎｏｄｅ  Ｂは、受信した「ＣＴＣＨ」にマッピングされている「ＳＣＣＰＣＨ」を介して、「ＣＴＣＨ」に含まれている詳細情報を送信する。【００８９】
ステップＳ１０１３において、無線回線制御局ＲＮＣは、上述の詳細情報の送信が完了したことを通知するための「Ｒｅｐｏｒｔ-Ｓｕｃｃｅｓｓ」を配信サーバＣＢＣに送信する。【００９０】
ステップＳ１０１４において、移動局ＵＳは、上述のスケジューリング情報に基づいて、「ＣＴＣＨ」に含まれる詳細情報を抽出して表示する。【００９１】
（本発明の第１の実施形態に係る移動通信システムの作用・効果）
本実施形態に係る移動通信システムによれば、緊急情報を、情報の少ない簡易情報と情報量が多い詳細情報とに分けて、移動局ＵＥが、ＣＢＳ（同報通信）用のトラフィックチャネル（ＣＴＣＨ）ではなく、ＣＢＳ（同報通信）を開始するための制御チャネル（ＰＩＣＨ又はＰＣＣＨ）を介して、簡易情報を受信するように構成されているため、緊急情報が移動局に到達する時間が遅くなるという問題点を解決することができる。【００９２】
（本発明の第２の実施形態に係る移動通信システムの構成）
図８乃至図１０を参照して、本発明の第２の実施形態に係る移動通信システムについて説明する。以下、本実施形態に係る移動通信システムについて、上述の第１の実施形態に係る移動通信システムとの相違点に着目して説明する。【００９３】
本実施形態に係る移動通信システムは、無線装置（無線制御装置ＲＮＣや無線基地局Ｎｏｄｅ  Ｂ）が、配信サーバから送信された緊急情報（官公庁や地方自治体等によって発せされた地震情報や津波情報等）を、同報通信（ＭＢＭＳ）を用いて、移動局に送信するように構成されている。【００９４】
図８に示すように、無線回線制御局ＲＮＣは、緊急情報受信部１１と、ＭＢＭＳ通知情報送信部１２Ａと、アクセス情報送信部１３Ａと、詳細情報送信部１５Ａと、完了応答部１６とを具備している。【００９５】
ＭＢＭＳ通知情報送信部１２Ａは、無線基地局Ｎｏｄｅ  Ｂを介して、所定のＭＢＭＳサービスエリアに在圏する移動局ＵＥに対して、ＭＢＭＳ通知情報を送信するように構成されている。【００９６】
具体的には、ＭＢＭＳ通知情報送信部１２Ａは、ＭＢＭＳ（同報通信）を開始するための制御チャネルであり、特定の移動局に対して着信情報があることを通知するための論理チャネルである「ＭＣＣＨ（ＭＢＭＳ  Ｃｏｎｔｒｏｌ  Ｃｈａｎｎｅｌ）」を用いて、ＭＢＭＳ通知情報を送信するように構成されている。【００９７】
なお、ＭＢＭＳ通知情報送信部１２Ａは、ＭＢＭＳ通知情報を含む論理チャネルである「ＭＣＣＨ」を、トランスポートチャネルである「ＦＡＣＨ」を介して無線基地局Ｎｏｄｅ  Ｂに送信するように構成されている。【００９８】
また、ＭＢＭＳ通知情報送信部１２Ａは、緊急情報受信部１１により生成された簡易情報を、無線基地局Ｎｏｄｅ  Ｂに送信するように構成されている。【００９９】
ここで、ＭＢＭＳ通知情報送信部１２Ａは、「ＦＡＣＨ」を用いて、ＭＢＭＳ通知情報と共に、簡易情報を送信するように構成されていてもよい。【０１００】
かかる場合、例えば、ＭＢＭＳ通知情報送信部１２Ａは、「ＭＣＣＨ」における「ペイロード部（２４０ビット）（３ＧＰＰ  ＴＳ３４.１０８参照）」に、簡易情報を挿入するように構成されている。【０１０１】
アクセス情報送信部１３Ａは、論理チャネルである「ＭＣＣＨ（ＭＢＭＳ  Ｃｏｎｔｒｏｌ  Ｃｈａｎｎｅｌ）」を介して、ＭＢＭＳ（同報通信）用のトラフィックチャネル（論理チャネル）である「ＭＴＣＨ（ＭＢＭＳ  Ｔｒａｆｆｉｃ  Ｃｈａｎｎｅｌ）」を見るように指示するアクセス情報を、移動局ＵＥに対して送信するように構成されている。【０１０２】
ここで、アクセス情報には、移動局ＵＥが受信すべき情報を含む「ＭＴＣＨ」のマルチキャストグループを示すために「マルチキャストグループＩＤ」が含まれていてもよい。【０１０３】
なお、アクセス情報送信部１３Ａは、アクセス情報を含む論理チャネルである「ＭＣＣＨ」を、トランスポートチャネルである「ＦＡＣＨ」を介して無線基地局Ｎｏｄｅ  Ｂに送信するように構成されている。【０１０４】
詳細情報送信部１５Ａは、同報通信用のトラフィックチャネルである「ＭＴＣＨ」を用いて、移動局ＵＥに対して、緊急情報受信部１１により生成された詳細情報を送信するように構成されている。【０１０５】
ここで、詳細情報は、アクセス情報によって特定されているマルチキャストグループに属する「ＭＴＣＨ」によって送信されるものとする。【０１０６】
なお、詳細情報送信部１５は、ＭＢＭＳ用のトラフィックチャネル（論理チャネル）である「ＭＴＣＨ」を、トランスポートチャネルである「ＦＡＣＨ」を介して無線基地局Ｎｏｄｅ  Ｂに送信するように構成されている。【０１０７】
図９に示すように、無線基地局Ｎｏｄｅ  Ｂは、ＦＡＣＨ受信部３３Ａと、ＭＩＣＨ送信部３４Ａと、ＳＣＣＰＣＨ送信部３５Ａとを具備している。【０１０８】
ＦＡＣＨ受信部３３Ａは、トランスポートチャネルである「ＦＡＣＨ」を介して送信された論理チャネルである「ＭＣＣＨ」に含まれている情報を抽出してＭＩＣＨ送信部３４Ａ及びＳＣＣＰＣＨ送信部３５Ａに通知するように構成されている。【０１０９】
ＦＡＣＨ受信部３３Ａは、トランスポートチャネルである「ＦＡＣＨ」を介して送信された論理チャネルである「ＭＴＣＨ」に含まれている情報を抽出してＳＣＣＰＣＨ送信部３５Ａに通知するように構成されている。【０１１０】
ＭＩＣＨ送信部３４Ａは、ＭＢＭＳ（同報通信）を開始するための制御チャネルであり、特定の移動局に対して着信情報があることを通知するための物理チャネルである「ＭＩＣＨ（ＭＢＭＳ  Ｉｎｄｉｃａｔｉｏｎ  Ｃｈａｎｎｅｌ）」を用いて情報を送信するように構成されている。【０１１１】
ここで、ＭＩＣＨ送信部３４Ａは、ＦＡＣＨ受信部３３Ａから通知された「ＦＡＣＨ」に含まれている簡易情報を、「ＭＩＣＨ」を用いて、移動局ＵＥに対して送信するように構成されていてもよい。【０１１２】
具体的には、図５に示すＰＩＣＨ送信部３４と同様に、ＭＩＣＨ送信部３４Ａは、「ＭＩＣＨ」を構成するフレームにおいて未定義の１２ビットを用いて、簡易情報を送信するように構成されていてもよい。【０１１３】
ＳＣＣＰＣＨ送信部３５Ａは、ＦＡＣＨ受信部３３Ａから通知された「ＦＡＣＨ」を介して送信された「ＭＣＣＨ」を含む物理チャネルである「ＳＣＣＰＣＨ」及びＦＡＣＨ受信部３３Ａから通知された「ＦＡＣＨ」を介して送信された「ＭＴＣＨ」を含む物理チャネルである「ＳＣＣＰＣＨ」を用いて情報を送信するように構成されている。【０１１４】
すなわち、ＳＣＣＰＣＨ送信部３５Ａは、上述の簡易情報を、「ＳＣＣＰＣＨ」に含まれる「ＭＣＣＨ」を用いて、移動局ＵＥに対して送信するように構成されていてもよい。【０１１５】
また、ＳＣＣＰＣＨ送信部３５Ａは、上述の詳細情報を、「ＳＣＣＰＣＨ」に含まれる「ＭＴＣＨ（同報通信用のトラフィックチャネル）」を用いて、移動局ＵＥに対して送信するように構成されていてもよい。【０１１６】
図１０に示すように、移動局ＵＥは、ＭＩＣＨ受信部５１Ａと、ＭＣＣＨ受信部５２Ａと、ＭＴＣＨ受信部５４Ａと、簡易情報受信部５５Ａと、詳細情報表示部５８Ａとを具備している。【０１１７】
ＭＩＣＨ受信部５１Ａは、無線基地局Ｎｏｄｅ  Ｂから送信された「ＭＩＣＨ」に含まれている情報を受信して、受信した情報に含まれている簡易情報を抽出して簡易情報表示部５５に送信するように構成されている。【０１１８】
また、ＭＩＣＨ受信部５１Ａは、無線基地局Ｎｏｄｅ  Ｂから送信された「ＭＩＣＨ」に含まれている情報を受信して、かかる「ＭＩＣＨ」に対応付けられている「ＭＣＣＨ」についての情報をＭＣＣＨ受信部５２Ａに通知するように構成されている。【０１１９】
ＭＣＣＨ受信部５２Ａは、無線基地局Ｎｏｄｅ  Ｂから送信された「ＳＣＣＰＣＨ」に含まれている情報を受信して、かかる「ＳＣＣＰＣＨ」にマッピングされている「ＭＣＣＨ」に含まれる情報を受信するように構成されている。【０１２０】
簡易情報表示部５５Ａは、図６に示すように、ＭＩＣＨ受信部５１Ａから受信した簡易情報Ａを表示するように構成されている。【０１２１】
また、簡易情報表示部５５Ａは、図６に示すように、ＭＣＣＨ受信部５２Ａにより受信された「ＭＣＣＨ」に含まれている簡易情報Ａを表示するように構成されていてもよい。【０１２２】
ＭＴＣＨ受信部５４Ａは、ＭＣＣＨ受信部５２Ａにより受信された「ＭＣＣＨ」に含まれている情報に応じて、無線基地局Ｎｏｄｅ  Ｂから送信された「ＳＣＣＰＣＨ」に含まれている情報を受信して、かかる「ＳＣＣＰＣＨ」に含まれる「ＭＴＣＨ」に含まれている情報を受信するように構成されている。【０１２３】
詳細情報表示部５８Ａは、図６に示すように、ＭＴＣＨ受信部５４により受信された詳細情報Ｂを表示画面上に表示するように構成されている。【０１２４】
（本発明の第２の実施形態に係る移動通信システムの動作）
以下、図１１を参照して、本実施形態に係る移動通信システムの動作について説明する。【０１２５】
図１１に示すように、ステップＳ２００１において、配信サーバＢＭ-ＳＣが、官公庁や地方自治体等から、地震情報や津波情報等の緊急情報の配信要求を受信する。ここで、かかる配信要求には、緊急情報及び当該緊急情報の配信エリア（ＭＢＭＳサービスエリア）が含まれているものとする。【０１２６】
ステップＳ２００２において、配信サーバＢＭ-ＳＣが、配信エリアに対応する無線回線制御局ＲＮＣとの間で、ＭＢＭＳセッションを確立する。【０１２７】
ステップＳ２００３において、無線回線制御局ＲＮＣが、「ＦＡＣＨ」を介して、無線基地局Ｎｏｄｅ  Ｂに対して、「ＭＣＣＨ」に含まれているＭＢＭＳ通知情報を送信する。【０１２８】
ここで、無線回線制御局ＲＮＣは、緊急情報に基づいて生成した簡易情報を、無線基地局Ｎｏｄｅ  Ｂに対して、「ＭＣＣＨ」に挿入して送信してもよいし、「ＭＣＣＨ」とは別に送信してもよい。【０１２９】
また、無線回線制御局ＲＮＣは、ステップＳ２００３において、「ＦＡＣＨ」を介して、無線基地局Ｎｏｄｅ  Ｂに対して、「ＭＣＣＨ」に含まれている、ＭＴＣＨに含まれている情報を受信するように指示するためのアクセス情報を送信する。【０１３０】
無線基地局Ｎｏｄｅ  Ｂは、ステップＳ２００４において、特定の配信エリアに在圏する移動局ＵＥに対して、「ＭＩＣＨ」に含まれている情報を送信し、ステップＳ２００５において、特定の配信エリアに在圏する移動局ＵＥに対して、「ＭＣＣＨ」をマッピングしている「ＳＣＣＰＣＨ」を介して、「ＭＣＣＨ」に含まれている情報を送信する。【０１３１】
ここで、簡易情報は、「ＭＩＣＨ」によって送信されてもよいし、「ＳＣＣＰＣＨ」に含まれる「ＭＣＣＨ」によって送信されてもよい。【０１３２】
ステップＳ２００６において、移動局ＵＥは、「ＭＩＣＨ」又は「ＭＣＣＨ」を介して受信した簡易情報を表示する。【０１３３】
ステップＳ２００７において、無線回線制御局ＲＮＣは、「ＦＡＣＨ」を介して、無線基地局Ｎｏｄｅ  Ｂに対して、上述のアクセス情報に基づいて、詳細情報を含む「ＭＴＣＨ」を送信する。具体的には、無線回線制御局ＲＮＣは、上述のアクセス情報において指定したマルチキャストグループに属する「ＭＴＣＨ」によって詳細情報を送信する。【０１３４】
ステップＳ２００８において、無線基地局Ｎｏｄｅ  Ｂは、受信した「ＭＴＣＨ」をマッピングしている「ＳＣＣＰＣＨ」を介して、「ＭＴＣＨ」に含まれている詳細情報送信する。【０１３５】
ステップＳ２００９において、無線回線制御局ＲＮＣは、上述の詳細情報の送信が完了したことを通知するための「Ｒｅｐｏｒｔ-Ｓｕｃｃｅｓｓ」を配信サーバＢＭ-ＳＣに送信する。【０１３６】
ステップＳ２０１０において、移動局ＵＳは、上述のアクセス情報に基づいて、「ＭＴＣＨ」に含まれる詳細情報を抽出して表示する。【０１３７】
（本発明の第２の実施形態に係る移動通信システムの作用・効果）
本実施形態に係る移動通信システムによれば、緊急情報を、情報の少ない簡易情報と情報量が多い詳細情報とに分けて、移動局ＵＥが、ＭＢＭＳ（同報通信）用のトラフィックチャネル（ＭＴＣＨ）ではなく、ＭＢＭＳ（同報通信）を開始するための制御チャネル（ＭＩＣＨ又はＭＣＣＨ）を介して、簡易情報を受信するように構成されているため、緊急情報が移動局に到達する時間が遅くなるという問題点を解決することができる。【０１３８】
なお、日本国特許出願第２００６-１６９４３４号（２００６年６月１９日出願）の全内容が、参照により、本願明細書に組み込まれている。【０１３９】
また、「３ＧＰＰ  ＴＳ２３.０４１」及び「３ＧＰＰ  ＴＳ２３.２４６」の全内容が、参照により、本願明細書に組み込まれている。【０１４０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【０１４１】
以上説明したように、本発明によれば、同報通信を用いて緊急情報を移動局に送信する際の遅延時間を短縮することができる移動通信システム、移動通信方法、無線回線制御局、無線基地局及び移動局を提供することができる。
【図１】
0004809434.tif 000002
【図２】
0004809434.tif 000003
【図３】
0004809434.tif 000004
【図４】
0004809434.tif 000005
【図５】
0004809434.tif 000006
【図６】
0004809434.tif 000007
【図７】
0004809434.tif 000008
【図８】
0004809434.tif 000009
【図９】
0004809434.tif 000010
【図１０】
0004809434.tif 000011
【図１１】
0004809434.tif 000012